(57)【要約】【課題】コミュニケーションのバリエーションを多様化させることができ、コミュニケーションサービスの利用意欲を向上させることができるシステムを提供する。【解決手段】情報提供サーバ１０が、ユーザＡによって作成されたコメントを含むコメント情報を記憶するコメントＤＢ１１と、ユーザＡによって名付けられたコメントの入力場所の名称を示す場所名を含むユーザ作成場所名情報を記憶するユーザ作成場所名ＤＢ１２とを備え、ユーザ端末２１にて入力されたコメントとそのコメントの入力場所の名称を示す場所名とを含む公開情報を受け付け、受け付けた公開情報に含まれている場所名を含むユーザ作成場所名情報と、受け付けた公開情報に含まれているコメントを含むコメント情報とを登録し、他のユーザ端末２２からの閲覧要求に応じて、コメントとそのコメントの入力場所の名称を示す場所名とを含む公開情報を提供する。【選択図】図４
2012053780.tif 000002
【特許請求の範囲】
【請求項１】
ユーザ端末からのコメントを含むコメント情報を蓄積し、他のユーザ端末からの閲覧要求に応じて蓄積したコメント情報を提供する情報提供サーバであって、
ユーザによって作成されたコメントを含むコメント情報を記憶するコメント情報記憶手段と、
前記ユーザによって名付けられたコメントの入力場所の名称を示す場所名を含むユーザ作成場所名情報を記憶するユーザ作成場所名情報記憶手段と、
前記ユーザ端末にて入力されたコメントと当該コメントの入力場所の名称を示す場所名とを含む公開情報を通信ネットワークを介して受け付ける公開情報受付手段と、
該公開情報受付手段によって受け付けられた公開情報に含まれている場所名を含むユーザ作成場所名情報を前記ユーザ作成場所名情報記憶手段に登録するユーザ作成場所名情報登録手段と、
前記公開情報受付手段によって受け付けられた公開情報に含まれているコメントを含むコメント情報を前記コメント情報記憶手段に登録するコメント情報登録手段と、
前記他のユーザ端末からの閲覧要求に応じて、コメントと当該コメントの入力場所の名称を示す場所名とを含む公開情報を提供する公開情報提供手段とを含む
ことを特徴とする情報提供サーバ。
【請求項２】
前記ユーザ端末からのコメント入力要求に応じて、コメントを入力するコメント入力領域と、当該コメントの入力場所の名称を示す場所名を入力する場所名入力領域とが設けられたコメント入力画面を送信するコメント入力画面送信手段を含み、
前記公開情報受付手段は、前記コメント入力領域に入力されたコメントと、前記場所名入力領域に入力された場所名とを含む公開情報を受け付ける
請求項１記載の情報提供サーバ。
【請求項３】
前記公開情報受付手段によって受け付けられた公開情報に含まれている場所名が登録済であるか否か確認する登録確認手段を含み、
前記ユーザ作成場所名情報登録手段は、前記登録確認手段によって未登録であることが確認された場所名を含むユーザ作成場所名情報を登録する
請求項１または請求項２記載の情報提供サーバ。
【請求項４】
前記公開情報受付手段は、前記ユーザ端末の現在位置を示す現在位置情報を含む公開情報を受け付け、
前記登録確認手段によって未登録であることが確認された場所名が示す場所を当該公開情報に含まれている現在位置情報によって特定し、当該場所名が示す場所を含む地図の地図情報を作成する地図情報作成手段を含み、
前記ユーザ作成場所名情報登録手段は、前記地図情報作成手段によって作成された地図情報を場所名に対応付けしたユーザ作成場所名情報を登録する
請求項３記載の情報提供サーバ。
【請求項５】
ユーザ端末からのコメントを含むコメント情報を蓄積させ、他のユーザ端末からの閲覧要求に応じて蓄積したコメント情報を提供させるための情報提供プログラムであって、
コンピュータに、
前記ユーザ端末にて入力されたコメントと前記ユーザによって名付けられた当該コメントの入力場所の名称を示す場所名とを含む公開情報を通信ネットワークを介して受け付ける公開情報受付ステップと、
該公開情報受付ステップにて受け付けた公開情報に含まれている場所名を含むユーザ作成場所名情報をユーザ作成場所名情報記憶手段に登録するユーザ作成場所名情報登録ステップと、
前記公開情報受付ステップにて受け付けた公開情報に含まれているユーザによって作成されたコメントを含むコメント情報をコメント情報記憶手段に登録するコメント情報登録ステップと、
前記他のユーザ端末からの閲覧要求に応じて、コメントと当該コメントの入力場所の名称を示す場所名とを含む公開情報を提供する公開情報提供ステップとを
実行させるための情報提供プログラム。
【発明の詳細な説明】
【技術分野】
【０００１】
本発明は、ユーザ端末からのコメントを含むコメント情報を蓄積し、他のユーザ端末からの閲覧要求に応じて蓄積したコメント情報を提供するための技術に関する。
【背景技術】
【０００２】
近年、「ツイッタ（ＴＷＩＴＴＥＲ（登録商標））」などのインターネットコミュニケーションサービス（インターネット上で利用可能なコミュニケーションサービスであり、インターネット上で不特定多数の相手に対して短文のコメント（つぶやき）を発信したり、発信した短文を読んだ相手の反応文を取得することが可能なサービス）が提供されており、多くのユーザに利用されるようになってきている。
【０００３】
上記のようなコミュニケーションサービスに関するシステムにおいては、例えばユーザの現在位置を確認し、確認した現在位置を示す位置情報を利用した様々なサービスが提案されている（例えば、特許文献１，２参照）。
【先行技術文献】
【特許文献】
【０００４】
【特許文献１】特開２０１０−１１３４４８号公報
【特許文献２】特開２００９−１０４０７８号公報
【発明の概要】
【発明が解決しようとする課題】
【０００５】
しかしながら、従来のツイッタ関連サービスシステムでは、端末に搭載されたＧＰＳ（Global Positioning System）機能を利用して把握した位置情報を用いることとしているため、コミュニケーションサービスのバリエーションが限定的になってしまう。このため、活発なコミュニケーションを誘発させることができず、コミュニケーションサービスの利用意欲を減退させてしまうおそれがあるという問題があった。また、ツイッタ関連サービスにおいては、有用なサービスを提供可能な新たな技術が求められている。
【０００６】
本発明は、上記の問題を解決すべく、コミュニケーションのバリエーションを多様化させることができ、コミュニケーションサービスの利用意欲を向上させることができるシステムを提供することを目的とする。
【課題を解決するための手段】
【０００７】
本発明の情報提供サーバは、ユーザ端末からのコメントを含むコメント情報を蓄積し、他のユーザ端末からの閲覧要求に応じて蓄積したコメント情報を提供する情報提供サーバであって、ユーザによって作成されたコメントを含むコメント情報を記憶するコメント情報記憶手段と、前記ユーザによって名付けられたコメントの入力場所の名称を示す場所名を含むユーザ作成場所名情報を記憶するユーザ作成場所名情報記憶手段と、前記ユーザ端末にて入力されたコメントと当該コメントの入力場所の名称を示す場所名とを含む公開情報を通信ネットワークを介して受け付ける公開情報受付手段と、該公開情報受付手段によって受け付けられた公開情報に含まれている場所名を含むユーザ作成場所名情報を前記ユーザ作成場所名情報記憶手段に登録するユーザ作成場所名情報登録手段と、前記公開情報受付手段によって受け付けられた公開情報に含まれているコメントを含むコメント情報を前記コメント情報記憶手段に登録するコメント情報登録手段と、前記他のユーザ端末からの閲覧要求に応じて、コメントと当該コメントの入力場所の名称を示す場所名とを含む公開情報を提供する公開情報提供手段とを含むことを特徴とする。
【０００８】
上記の構成としたことで、コミュニケーションのバリエーションを多様化させることができるようになり、コミュニケーションサービスの利用意欲を向上させることができるシステムを提供することが可能となる。
【０００９】
前記ユーザ端末からのコメント入力要求に応じて、コメントを入力するコメント入力領域と、当該コメントの入力場所の名称を示す場所名を入力する場所名入力領域とが設けられたコメント入力画面を送信するコメント入力画面送信手段を含み、前記公開情報受付手段は、前記コメント入力領域に入力されたコメントと、前記場所名入力領域に入力された場所名とを含む公開情報を受け付ける構成とされていてもよい。
【００１０】
前記公開情報受付手段によって受け付けられた公開情報に含まれている場所名が登録済であるか否か確認する登録確認手段を含み、前記ユーザ作成場所名情報登録手段は、前記登録確認手段によって未登録であることが確認された場所名を含むユーザ作成場所名情報を登録する構成とされていてもよい。
【００１１】
前記公開情報受付手段は、前記ユーザ端末の現在位置を示す現在位置情報を含む公開情報を受け付け、前記登録確認手段によって未登録であることが確認された場所名が示す場所を当該公開情報に含まれている現在位置情報によって特定し、当該場所名が示す場所を含む地図の地図情報を作成する地図情報作成手段を含み、前記ユーザ作成場所名情報登録手段は、前記地図情報作成手段によって作成された地図情報を場所名に対応付けしたユーザ作成場所名情報を登録する構成とされていてもよい。
【００１２】
さらに、本発明の情報提供プログラムは、ユーザ端末からのコメントを含むコメント情報を蓄積させ、他のユーザ端末からの閲覧要求に応じて蓄積したコメント情報を提供させるための情報提供プログラムであって、コンピュータに、前記ユーザ端末にて入力されたコメントと前記ユーザによって名付けられた当該コメントの入力場所の名称を示す場所名とを含む公開情報を通信ネットワークを介して受け付ける公開情報受付ステップと、該公開情報受付ステップにて受け付けた公開情報に含まれている場所名を含むユーザ作成場所名情報をユーザ作成場所名情報記憶手段に登録するユーザ作成場所名情報登録ステップと、前記公開情報受付ステップにて受け付けた公開情報に含まれているユーザによって作成されたコメントを含むコメント情報をコメント情報記憶手段に登録するコメント情報登録ステップと、前記他のユーザ端末からの閲覧要求に応じて、コメントと当該コメントの入力場所の名称を示す場所名とを含む公開情報を提供する公開情報提供ステップとを実行させるためのものである。
【発明の効果】
【００１３】
本発明によれば、コミュニケーションのバリエーションを多様化させることができるようになり、コミュニケーションサービスの利用意欲を向上させることができるシステムを提供することが可能となる。
【図面の簡単な説明】
【００１４】
【図１】本発明の一実施の形態における情報提供システム１００の構成の例を示すブロック図である。
【図２】コメント情報の例を示す説明図である。
【図３】ユーザ作成場所名情報の例を示す説明図である。
【図４】コメント登録処理の例を示すフローチャートである。
【図５】コメント入力画面の例を示す説明図である。
【図６】公開情報提供処理の例を示すフローチャートである。
【図７】コメント閲覧画面の例を示す説明図である。
【図８】地図画面の例を示す説明図である。
【発明を実施するための形態】
【００１５】
以下、本発明の一実施の形態について図面を参照して説明する。
【００１６】
図１は、本発明の一実施の形態における情報提供システム１００の構成の例を示すブロック図である。図１に示すように、情報提供システム１００は、情報提供サーバ１０と、ユーザ端末２１〜２Ｎ（Ｎは任意の正の整数）とを含む。情報提供サーバ１０、及びユーザ端末２１〜２Ｎは、それぞれ、インターネットなどの通信ネットワーク３０によって接続されている。
【００１７】
情報提供サーバ１０は、例えば本システム１００のシステム管理者によって管理され、例えばＷＷＷサーバなどの情報処理装置によって構成される。情報提供サーバ１０は、コミュニケーションサービスを提供可能な機能を有しており、登録ユーザが使用するユーザ端末（例えばユーザ端末２１）から公開情報を取得し、取得した公開情報を所定の情報公開サイトにて閲覧可能に公開する機能などの各種の機能を有している。
【００１８】
情報提供サーバ１０は、登録ユーザによって作成された短文（例えば、数十文字から数百文字）によるコメント（つぶやき）を含むコメント情報を格納するコメントＤＢ１１と、登録ユーザによって作成された場所名に関する情報を示すユーザ作成場所名情報を格納するユーザ作成場所名ＤＢ１２と、本システム１００の登録ユーザに関するユーザ情報を格納するユーザＤＢ１３とを備えている。コメントＤＢ１１、ユーザ作成場所名ＤＢ１２、及びユーザＤＢ１３は、それぞれ、情報提供サーバ１０の内部に備えられていてもよいし、外部に備えられていてもよい。
【００１９】
ユーザ端末２１〜２Ｎは、それぞれ、本システム１００の登録ユーザによって管理され、例えば携帯電話端末やパーソナルコンピュータなどの情報処理装置によって構成される。
【００２０】
図２は、コメントＤＢ１１に格納されるコメント情報の例を示す説明図である。コメント情報は、本システム１００の登録ユーザによって作成されたコメントに関する情報であって、ユーザ名と、ユーザＩＤと、場所ＩＤと、緯度・経度と、コメントとを含む情報である。
【００２１】
図３は、ユーザ作成場所名ＤＢ１２に格納されるユーザ作成場所名情報の例を示す説明図である。ユーザ作成場所名情報は、本システム１００の登録ユーザによって作成された場所名に関する情報であって、ユーザ名と、ユーザＩＤと、ユーザによって名付けられた場所の名称を示す場所名（ユーザ作成場所名）と、その場所名を一意に特定可能な場所ＩＤと、緯度・経度と、ＵＲＬ（Uniform Resource Locator）とを含む情報である。ＵＲＬは、本例では、ユーザによって作成されたユーザ作成場所名を一意に特定可能なＩＤとして用いられる情報であって、緯度・経度が示す地点が明示された地図が掲載された地図ページにアクセスするためのアドレス情報である。
【００２２】
なお、ユーザＤＢ１３に格納されるユーザ情報は、本システム１００の登録ユーザに関する情報であって、例えば、登録ユーザの氏名を示すユーザ名と、ユーザを一意に特定するためのユーザＩＤと、パスワードと、電話番号と、所在地（住所、勤務場所）と、年齢と、性別とを含む情報である。
【００２３】
次に、本例の情報提供システム１００の動作について説明する。
【００２４】
図４は、本例の情報提供システム１００におけるコメント登録処理の例を示すフローチャートである。ここでは、ユーザＡが管理するユーザ端末２１からの要求に応じて、コメント情報とユーザ作成場所名情報とを登録する場合を例に説明する。なお、本発明に関係しない処理については、その内容を省略している場合がある。
【００２５】
コメント登録処理において、先ず、ユーザ端末２１は、ユーザＡの操作に応じて、情報提供サーバ１０が開設している情報提供サイト（コミュニケーションサービスの提供を行う機能を有するウェブサイト）のＵＲＬを指定し、その情報提供サイトにアクセスする（ステップＳ１０１）。
【００２６】
情報提供サーバ１０は、ユーザ端末２１からの情報提供サイトへのアクセスを受けたことに応じて、ユーザＡ（ユーザ端末２１）の認証処理を行う（ステップＳ１０２）。なお、認証処理は、ログイン画面によって行うようにしてもよい。
【００２７】
ユーザＡ（ユーザ端末２１）を認証した場合には、コメント入力画面をユーザ端末２１に対して通信ネットワーク３０を介して送信する（ステップＳ１０３）。
【００２８】
ユーザ端末２１は、情報提供サーバ１０から受信したコメント入力画面を自己が備える表示装置に表示する（ステップＳ１０４）。図５は、コメント入力画面の例を示す説明図である。図５に示すように、コメント入力画面には、場所名を入力する場所名入力領域１０１と、コメントを入力するコメント入力領域１０２と、コメントと場所名とを含む公開情報を送信する際に押下される送信ボタン１０３とが設けられている。
【００２９】
ユーザ端末２１は、ユーザＡの入力装置（例えばキーボード、ボタンなど）の操作による場所名入力領域１０１への場所名の入力と、コメント入力領域１０２へのコメントの入力とを受け付ける（ステップＳ１０５）。場所名としては、例えば、「自宅」、「学校」、特定範囲の仲間にだけ認識可能な場所の名称（例えば「学校裏の桜の木」）、建物名や店舗名（例えば「きさらぎ」）など、ユーザＡが自由に名付けた名称が場所名入力領域１０１に入力され、ユーザ端末２１によって受け付けられる。コメントとしては、「暑いです。」、「いまから帰宅」、「ランチおいしかった。」など、ユーザＡの「つぶやき」などが短文によって表現された文章がコメント入力領域１０２に入力され、ユーザ端末２１によって受け付けられる。
【００３０】
なお、場所名入力領域１０１に入力する場所名は、過去にユーザＡによって登録された登録履歴の中から選択するようにしてもよい。この場合、ユーザ端末２１は、情報提供サーバ１０からユーザＡによって入力され登録された場所名のリストを取得し、そのリストをそれぞれの場所名が選択可能となるように場所名入力領域１０１の近傍に表示し、選択を受け付けるようにすればよい。なお、ユーザＡによって登録された登録履歴に限定せず、過去に登録された全ての登録履歴の中から選択するようにしてもよい。
【００３１】
また、場所名入力領域１０１に入力する場所名は、過去に登録された登録履歴の中で、ユーザ端末２１の現在位置から所定距離内（例えば３００ｍ以内）で登録された場所名の登録履歴の中から選択するようにしてもよい。この場合、情報提供サーバ１０は、ユーザ端末２１からの緯度・経度を提示したリスト要求に応じて、ユーザ作成場所名情報を参照し、ユーザ端末２１の緯度・経度が示す地点と、ユーザ作成場所名情報に含まれる緯度・経度が示す地点とが所定距離内であるか否か判定し、所定距離内である緯度・経度に対応付けされている場所名のリストを作成し、作成したリストをユーザ端末２１に送信するようにすればよい。
【００３２】
次に、ユーザ端末２１は、ユーザＡの入力装置の操作による送信ボタン１０３の押下を受け付けると、ステップＳ１０５にて受け付けた場所名とコメントとを含む公開情報を情報提供サーバ１０に送信する（ステップＳ１０６）。
【００３３】
公開情報は、ユーザＡによって入力されたコメントと、ユーザＡによって入力された場所名と、ユーザ端末２１の現在位置を示す緯度・経度と、ユーザ名と、ユーザＩＤとを含む情報である。
【００３４】
情報提供サーバ１０は、ユーザ端末２１からの公開情報を受信すると、ユーザ作成場所名ＤＢ１２を参照して、受信した公開情報に含まれている場所名が、既に登録されているか否か確認する（ステップＳ１０７）。なお、同一ユーザについての重複登録のみを回避するために、ステップＳ１０７にて、ユーザＡによって既に登録されているか否か確認する構成としてもよい。
【００３５】
場所名が登録されていなければ（ステップＳ１０７のＮ）、情報提供サーバ１０は、その場所名を一意に特定可能な場所ＩＤを決定し、受信した公開情報に含まれている緯度・経度が示す位置が明示された地図を示す地図情報を作成し（ステップＳ１０８）、作成した地図を掲載するウェブページのアドレスを示すＵＲＬを決定し（ステップＳ１０９）、決定したＵＲＬと地図情報とを対応付けして図示しない地図ＤＢに保存する。そして、情報提供サーバ１０は、受信した公開情報に含まれている場所名、緯度・経度、ユーザ名、及びユーザＩＤと、ステップＳ１０９にて決定したＵＲＬとを含むユーザ作成場所名情報をユーザ作成場所名ＤＢに登録する（ステップＳ１１０）。
【００３６】
ユーザ作成場所名情報を登録すると、または場所名が登録されていれば（ステップＳ１０７のＹ）、情報提供サーバ１０は、受信した公開情報に含まれているコメント、緯度・経度、ユーザ名、及びユーザＩＤと、登録したユーザ作成場所名情報に含まれている場所名の場所ＩＤまたは登録されていた場所名の場所ＩＤとを含むコメント情報をコメントＤＢ１１に登録する（ステップＳ１１１）。
【００３７】
上記のようにして、ユーザＡが管理するユーザ端末２１からの要求に応じて、コメント情報とユーザ作成場所名情報とを登録する処理が実行される。
【００３８】
なお、上記の例では、場所名が登録されていない場合に（ステップＳ１０７のＮ）ユーザ作成場所名情報を登録する（ステップＳ１１０）構成としていたが、場所名入力領域１０１に入力する場所名が過去に登録された登録履歴の中から選択されたものでない場合（ユーザによって積極的に入力された場合）に、入力された場所名を含むユーザ作成場所名情報を登録するようにしてもよい。
【００３９】
次に、情報提供サーバ１０が実行する公開情報提供処理について説明する。図６は、公開情報提供処理の例を示すフローチャートである。ここでは、ユーザＢ（登録ユーザであっても、非登録ユーザであってもよい。）が管理するユーザ端末２２からの要求に応じて、公開情報を提供する場合を例に説明する。なお、本発明に関係しない処理については、その内容を省略している場合がある。
【００４０】
公開情報提供処理において、先ず、ユーザ端末２２は、ユーザＢの操作に応じて、情報提供サーバ１０が開設している情報提供サイト（コミュニケーションサービスの提供を行う機能を有するウェブサイト）のＵＲＬを指定し、その情報提供サイトにアクセスする（ステップＳ２０１）。
【００４１】
情報提供サーバ１０は、ユーザ端末２２からの情報提供サイトへのアクセスを受けたことに応じて、コメント閲覧画面をユーザ端末２２に対して通信ネットワーク３０を介して送信する（ステップＳ２０２）。なお、ポータル画面からコメント閲覧が選択された場合にコメント閲覧画面を送信するようにしてもよい。
【００４２】
ユーザ端末２２は、情報提供サーバ１０から受信したコメント閲覧画面を自己が備える表示装置に表示する（ステップＳ２０３）。図７は、コメント閲覧画面の例を示す説明図である。図７に示すように、コメント閲覧画面には、コメントしたユーザのユーザ名を表示するユーザ名表示領域２０１と、コメントした場所の場所名を表示する場所名表示領域２０２と、コメントの内容を表示するコメント表示領域２０３と、コメントに対する返事（コメントに対する返事（リプライ「reply」）の他、コメントに対するコメント、コメントを受けたコメントなど、様々な反応が考えられる。）をする際に押下される返事ボタン２０４とが設けられている。すなわち、コメント閲覧画面に公開情報の一部または全部が掲載され、公開情報の一部または全部がユーザに広く公開される。図７では、説明の簡単のため、１人の登録ユーザに関する公開情報が掲載されていることとしているが、複数の登録ユーザの公開情報が一覧で掲載されるようにしてもよい。また、コメントに対する返事がなされている場合には、その返事を例えば時系列で掲載するようにしてもよい。なお、本例では、場所名表示領域２０２に表示されている場所名は、選択可能に表示されるものとし、選択されることによってその場所名が示す場所が明示された地図にアクセスできるようになっているものとする。
【００４３】
ユーザＢは、コメント閲覧画面によって、登録ユーザについて場所名とコメントとを含む公開情報を閲覧することが可能となる。具体的には、図７に示す例では、ユーザＢは、コメント閲覧画面を閲覧することによって、例えば、ユーザ「いけだ」が、「校舎裏の桜の木」で、「今日は暑いです。」とコメントしたことを認識することが可能となる。
【００４４】
次に、ユーザ端末２２は、ユーザＢの入力装置の操作によって場所名表示領域２０２に表示されている場所名が選択されると、地図表示依頼を受け付けたものと判断し（ステップＳ２０４のＹ）、場所名に対応付けされているユーザ作成場所名ＩＤ（ＵＲＬ）を提示して、情報提供サーバ１０に対して地図情報を要求する（ステップＳ２０５）。
【００４５】
地図情報の要求を受けると、情報提供サーバ１０は、図示しない地図ＤＢを参照し、提示されたユーザ作成場所名ＩＤに対応付けされている地図情報が示す地図が掲載された地図画面を作成し、ユーザ端末２２に向けて送信する（ステップＳ２０６）。
【００４６】
ユーザ端末２２は、情報提供サーバ１０から受信した地図画面を自己が備える表示装置に表示する（ステップＳ２０７）。図８は、地図画面の例を示す説明図である。図８に示すように、地図画面には、場所名が示す場所（対応する緯度・経度が示す地点）を含む地図を掲載する地図掲載領域が設けられており、その地図中に場所名が示す場所を明示するための場所名地点アイコン３０１が表示される。図８に示す例では、場所名「校舎裏の桜の木」が示す場所から吹き出している吹き出し形状の場所名地点アイコン３０１が表示され、その場所名地点アイコン３０１に場所名が記載されている。なお、場所名地点アイコン３０１の形状は一例であり、また、場所名を記載しないようにしてもよい。
【００４７】
また、ユーザ端末２２は、ユーザＢの入力装置の操作によって返事ボタン２０４の押下を受け付けると（ステップＳ２０８のＹ）、例えば情報提供サーバ１０から返事コメントを入力するための返事入力画面を取得し、返事入力画面にて返事コメントの入力を受け付け（ステップＳ２０９）、入力された返事コメントを情報提供サーバ１０に向けて送信する（ステップＳ２１０）。
【００４８】
情報提供サーバ１０は、返事コメントを受信すると、該当するコメントに対応付けして返事コメントを登録する（ステップＳ２１１）。返事コメントは、例えば、コメントＤＢに格納されているコメント情報として、該当するコメントに対応付けして登録される。なお、返事コメントに関しても、上述したコメント登録処理と同様の処理によって登録されるようにしてもよい。
【００４９】
上記のようにして、ユーザＢが管理するユーザ端末２２からの要求に応じて、公開情報を提供する処理が実行される。
【００５０】
以上に説明したように、上述した実施の形態では、ユーザ端末２１からのコメントを含むコメント情報を蓄積し、他のユーザ端末２２からの閲覧要求に応じて蓄積したコメント情報を提供する情報提供サーバ１０が、ユーザＡによって作成されたコメントを含むコメント情報を記憶するコメントＤＢ１１と、ユーザＡによって名付けられたコメントの入力場所の名称を示す場所名を含むユーザ作成場所名情報を記憶するユーザ作成場所名ＤＢ１２とを備え、ユーザ端末２１にて入力されたコメントとそのコメントの入力場所の名称を示す場所名とを含む公開情報を通信ネットワーク３０を介して受け付け、受け付けた公開情報に含まれている場所名を含むユーザ作成場所名情報をユーザ作成場所名ＤＢ１２に登録し、受け付けた公開情報に含まれているコメントを含むコメント情報をコメントＤＢ１１に登録し、他のユーザ端末２２からの閲覧要求に応じて、コメントとそのコメントの入力場所の名称を示す場所名とを含む公開情報を提供する構成としているので、コミュニケーションのバリエーションを多様化させることができるようになり、コミュニケーションサービスの利用意欲を向上させることができるシステムを提供することが可能となる。
【００５１】
すなわち、ユーザによって作成されたコメントとそのユーザによって名付けられたコメントの入力場所の名称を示す場所名とを合わせて受け付け、そのコメントと場所名とを合わせて提供する構成としているので、駅名や有名店舗名などの一般的な場所名だけでなく、特定のユーザ間でのみ認識可能な場所名によりコメントした場所を特定することが可能となる。このため、コミュニケーションのバリエーションを多様化させることができるようになり、上述した情報提供サーバ１０を用いてシステム構築することによって、コミュニケーションサービスの利用意欲を向上させることができるシステムを提供することが可能となる。
【００５２】
また、特定のユーザ間でのみ認識可能な場所名を登録し共有することができるようになるため、やはりコミュニケーションのバリエーションを多様化させることができるようになる。
【００５３】
なお、ユーザによって名付けられたコメントの入力場所の名称を示す場所名は、例えば、アーティスト名によってコンサートが開催されている会場を示すようにすることも可能であるし、特定のユーザ間でのみ認識可能な言葉によって特定の場所を示すようにすることも可能である。このような場所名を登録し提供するようにすれば、さらにコミュニケーションのバリエーションを多様化させることができるようになる。
【００５４】
また、上述した実施の形態では、情報提供サーバ１０が、ユーザ端末２１からのコメント入力要求に応じて、コメントを入力するコメント入力領域１０２と、そのコメントの入力場所の名称を示す場所名を入力する場所名入力領域１０１とが設けられたコメント入力画面（図５参照）を送信し、コメント入力領域１０２に入力されたコメントと、場所名入力領域１０１に入力された場所名とを含む公開情報を受け付ける構成としたので、コメントとそのコメントの入力場所の名称を示す場所名とを別個に入力させることができるようになり、場所名を的確に取得することができるようになる。また、上述した実施の形態では、コメント入力領域１０２の近傍に「いまどうしてる？」といったコメント入力を誘導する表示を行い、場所名入力領域１０１の近傍に「いまどこにいる？」といった現在位置の入力を誘導する表示を行うようにしているため、より的確にコメントと場所名を取得することができるようになる。
【００５５】
また、上述した実施の形態において、情報提供サーバ１０が、受け付けた公開情報に含まれている場所名が同一ユーザについて登録済であるか否か確認し、未登録であることが確認された場所名を含むユーザ作成場所名情報を登録する構成とした場合には、効率的に場所名を登録することが可能となる。なお、同一ユーザについて登録済であるか否か確認する構成とした場合には、異なるユーザについては同一の場所名の登録を許容することができ、システムの利便性を高めることができるようになる。
【００５６】
また、上述した実施の形態では、情報提供サーバ１０が、ユーザ端末２１の現在位置を示す現在位置情報（例えば、緯度・経度）を含む公開情報を受け付け、未登録であることが確認された場所名が示す場所をその公開情報に含まれている現在位置情報によって特定し、その場所名が示す場所を含む地図の地図情報を作成し、作成した地図情報を場所名に対応付け（例えばＵＲＬを介して対応付け）したユーザ作成場所名情報を登録する構成としているので、新たに登録される場所名の場所を明示した地図を示す地図情報を作成しておくことができ、コメントと場所名を提供する際にその場所名が示す場所の地図を簡単に提供することができるようになる。
【００５７】
なお、上述した実施の形態では、情報提供サーバ１０は、自己が備える記憶装置に記憶されている制御プログラム（情報提供プログラム）に従って、上述した各種の処理を実行する。
【産業上の利用可能性】
【００５８】
本発明によれば、コミュニケーションのバリエーションを多様化させることができ、コミュニケーションサービスの利用意欲を向上させることができるシステムを提供するのに有用である。
【符号の説明】
【００５９】
１０          情報提供サーバ
１１          コメントＤＢ
１２          ユーザ作成場所名ＤＢ
１３          ユーザＤＢ
２１〜２Ｎ    ユーザ端末
３０          通信ネットワーク
１００        情報提供システム
【図１】
2012053780.tif 000003
【図２】
2012053780.tif 000004
【図３】
2012053780.tif 000005
【図４】
2012053780.tif 000006
【図６】
2012053780.tif 000007
【図５】
2012053780.tif 000008
【図７】
2012053780.tif 000009
【図８】
2012053780.tif 000010